(57)【要約】【課題】股下丈以下の釣り用履物において、保温効果を保持しつつ水が浸入した後の不快感を低減させる。【解決手段】股下丈以下の釣り用履物の本体素材１１を、穴あき加工された発泡ゴムシート２の両面に合成樹脂製ジャージ４が貼り合わされたゴム引き布１とする。このような本体素材１１を用いた釣り用履物の形態としては、くるぶしから膝上までのスパッツ状履物、つま先から膝上までのブーツ状履物、つま先からふくらはぎまでのソックスタイプの履物が望ましい。【選択図】図１
2012130571.tif 000002
【特許請求の範囲】
【請求項１】
股下丈以下の釣り用履物であって、
その本体素材が、穴あき加工された発泡ゴムシートの両面に合成樹脂製ジャージが貼り合わされたゴム引き布からなる釣り用履物。
【請求項２】
くるぶしから膝上までのスパッツ状履物である請求項１記載の釣り用履物。
【請求項３】
つま先から膝上までのブーツ状履物である請求項１記載の釣り用履物。
【請求項４】
つま先からふくらはぎまでのソックスタイプの履物である請求項１記載の釣り用履物。
【発明の詳細な説明】
【技術分野】
【０００１】
本発明は、スパッツ状又はブーツ状の釣り用履物に関する。
【背景技術】
【０００２】
川等の浅場に入って釣りを行うウェーディングでは、一般にウェーダーと称されている股下又は胴まである長靴が使用される。ウェーダーでは防水性や保温性の確保が重視されている。価格の点からナイロン製やゴム製のものが普及しているが（特許文献１）、トラウザー部分を防水透湿性の生地で作製したものもある（特許文献２）。
【先行技術文献】
【特許文献】
【０００３】
【特許文献１】特開２００６−２３３３５９号公報
【特許文献２】特開２００６−１８３１９８号公報
【発明の概要】
【発明が解決しようとする課題】
【０００４】
ナイロン製やゴム製のものは防水性には優れるが透湿性に劣るために、汗をかくとかえって体が冷えたり、また、気温が高いときには蒸れたりするという問題がある。このような問題は、防水透湿性の生地で作製されたものでは緩和されるが、価格が高いという問題がある。また、いずれにおいても、ウェーダーが股下までのものでは、ウェーディング中にウェーダー内に水が入りやすく、一旦水が入ると、釣り人が水から出た後もウェーダー内に水が溜まったままとなるため、釣り人に不快感を生じさせる。
【０００５】
これに対し、本発明は、股下丈以下の釣り用履物において、保温効果を保持しつつ水が浸入した後の不快感を低減させることを目的とする。
【課題を解決するための手段】
【０００６】
本発明者は、水が浸入した後のウェーダーの使用感を向上させるには、ウェーダーを防水性にするという従来の固定概念に反して通水性にすることが好ましく、そのためにウェーダーを多孔性素材で作製するのが好ましいこと、多孔性素材としては、価格の点から穴あき加工したゴムシートが好ましいこと、さらに、保温性と動きやすさを確保するために、ゴムシートを発泡ゴムシートとし、その両面に合成樹脂製の伸縮性の布を貼り合わせたゴム引き布とするのが好ましいこと、また、このような通水性は、ウェーダーだけでなく、スパッツ状の履物にも有用であることを見出した。
【０００７】
即ち、本発明は、股下丈以下の釣り用履物であって、その本体素材が、穴あき加工された発泡ゴムシートの両面に合成樹脂製ジャージが貼り合わされたゴム引き布からなる釣り用履物を提供する。
【発明の効果】
【０００８】
本発明の釣り用履物によれば、その本体素材が、穴あき加工された発泡ゴムシートの両面にジャージを貼り合わせたゴム引き布からなるので、通水性がある。したがって、ウェーディング中には履物内に水が入るが、釣り人が水から上がると履物に入った水は速やかに抜ける。このため、水が溜まった長靴を履いているような不快感を解消することができる。
【０００９】
また、本体素材を形成するゴムシートは穴あき加工がされているものの、発泡ゴムシートであり、その両面にジャージが貼られているので、股下丈以下のウェーダーが使用される場面においては十分な保温性を有する。そのため、本発明の釣り用履物は、特に夏場の釣りに好適となる。
【図面の簡単な説明】
【００１０】
【図１】図１は、本発明は実施例の釣り用履物の本体素材の（ａ）平面図及び（ｂ）断面図である。
【図２】図２は、スパッツ状履物の（ａ）側面図、（ｂ）正面図及び（ｃ）背面の部分展開図である。
【図３】図３は、ブーツ状履物の（ａ）側面図、及び（ｂ）正面図である。
【図４】図４は、ソックスタイプの釣り用履物の２方向の斜視図である。
【発明を実施するための形態】
【００１１】
以下、図面を参照しつつ、本発明を詳細に説明する。なお、各図中、同一符号は同一又は同等の構成要素を表している。
【００１２】
本発明の釣り用履物は、股下丈以下の釣り用履物であって、その本体素材が特定のゴム引き布からなるものである。ここで、股下丈以下の釣り用履物とは、股下丈以下の種々のブーツ型の履物、つま先部分、あるいはつま先から踵までの部分が無いスパッツ型の履物等をいう。ブーツ型の履物は、アウターシューズと組み合わせて使用するインナーシューズタイプの履物や、ソックスタイプの履物などとすることができる。
【００１３】
また、釣り用履物の本体素材が特定のゴム引き布からなるとは、それを履いた足が覆われることとなる主要部をなす素材が特定のゴム引き布で形成されていることをいい、足裏部分、つま先部分、膝当て部分、縁取り部分などの履物の一部に他の素材が使用されていることを含む。
【００１４】
図１（ａ）は、実施例の釣り用履物が本体素材として使用するゴム引き布１の平面図であり、同図（ｂ）はその断面図である。このゴム引き布１は、穴あき加工が施されたクロロプレンなどの発泡ゴムシート２の両面に合成樹脂製ジャージ４を貼着したものである。
【００１５】
発泡ゴムシート２の厚さは、厚すぎると動きにくく、薄すぎると保温性が低下するので、1〜3ｍｍとすることが好ましい。
【００１６】
発泡ゴムシート２の穴あき加工としては、直径2〜4ｍｍ程度の穴３を、10ｃｍ四方あたり、40〜80個程度を抜き加工したものが好ましく、より好ましくは直径2.5〜3.5ｍｍの穴を10ｃｍ四方あたり60〜70個とする。穴径が大きすぎたり、穴密度が高すぎたりすると、保温性が劣り、穴径が小さすぎたり、穴密度が低すぎたりすると、履物の内部に入った水の排水性が劣る。
【００１７】
なお、発泡ゴムシート自体の素材としては、ウェットスーツ等に使用されているもの等を使用することができる。
【００１８】
一方、合成樹脂製ジャージ４としては、伸縮性が高く、水切れが良いものが好ましく、例えば、ナイロン糸、ポリエステル糸、あるいはこれらの混合糸から形成したものが好ましい。
【００１９】
ジャージ４の厚さとしては、厚すぎると伸縮性が低下して動きにくくなり、薄すぎると保温性が低下する。そこで、ゴム引き布１の全厚を2〜4ｍｍとすることが好ましい。
【００２０】
このようなゴム引き布１を履物の本体素材として使用することにより、ウェーディング中に履物内に水が入っても、その水は履物内で層を形成するので、体温ですぐに温められる。また、素材自体の保温性が高い。したがって、股下丈以下のウェーダーが使用される場面において、履物内に水が入ることによる寒さが問題になることはなく、特に夏場においては、蒸されるような不快感を解消することができ、水から上がった後には履物から水が抜けて履き心地が著しく向上する。
【００２１】
図２（ａ）は、本発明の一実施例の履物であって、足首から膝上にかけて足を覆い保護するスパッツ状履物１０Ａの側面図であり、同図（ｂ）はその正面図であり、同図（ｃ）は左右片側を展開した状態の背面図である。
【００２２】
このスパッツ状履物１０Ａは、足首から膝上にかけての本体素材１１が上述のゴム引き布１で作られ、異なるゴム引き布で作られた膝当て１２が膝部分に縫い付けられ、薄手のジャージからなる縁取り１３が形成されている。
【００２３】
膝当て１２を形成するゴム引き布１は、本体素材１１を形成するゴム引き布１のジャージ４よりも強力な糸で丈夫に編まれたジャージ４が、発泡ゴムシートの片面に貼付されたものからなる。この発泡ゴムシートには、穴あき加工は施されていない。
【００２４】
スパッツ状履物１０Ａは、平面に展開することができ、図２（ｃ）に示したように、一方の側辺部から帯状の面ファスナー１４が所定間隔で突出し、対応する面ファスナー１５が他方の側辺部の下端部から膝下にかけて広範囲に縫い付けられ、膝上の部分にも帯状の対応する面ファスナー１５が縫い付けられている。このように面ファスナーを設けることにより、任意のサイズの足に適合させられるようにしている。
【００２５】
図３（ａ）は、つま先から膝上にかけて足を覆い保護するブーツ状履物１０Ｂの側面図であり、同図（ｂ）はその正面図である。このブーツ状履物１０Ｂは、つま先から膝上にかけての本体素材１１が上述のゴム引き布１から形成されている。また、図２のスパッツ状履物１０Ａと同様に、膝当て１２と縁取り１３が設けられている。一方、足裏部１６は、強度や耐久性を向上させるため、穴あき加工がなされていないゴムシートの両面にジャージを貼ったゴム引き布で形成されている。このように、本発明においては、穴あき加工されていないゴムシートを用いたゴム引き布も部分的に使用することができる。
【００２６】
このブーツ状履物１０Ｂは、ウェーディングでは、この上にアウターシューズを重ねて履いた状態で使用される。そのため、足首から上の折り返し部分１７がアウターシューズの上縁部に被せられるように作られており、折り返し部分１７の端部にアウターシューズとの連結用留具１８が設けられている。
【００２７】
図４は、つま先からふくらはぎまでのソックスタイプの履物１０Ｃの２方向の斜視図である。この履物１０Ｃは、足裏部１６も含めて本体素材１１の全体が、穴あき加工を施した発泡ゴムシートの両面にジャージを貼り合わせたゴム引き布で作られている。このように、本発明は種々の形態の履物とすることができる。
【産業上の利用可能性】
【００２８】
本発明の釣り用履物は、スパッツ状履物、ブーツ状履物、ソックスタイプの履物として有用である。
【符号の説明】
【００２９】
１    ゴム引き布
２    発泡ゴムシート
３    穴
４    ジャージ
１０Ａ  スパッツ状履物
１０Ｂ  ブーツ状履物
１０Ｃ  ソックスタイプの履物
１１    本体素材
１２    膝当て
１３    縁取り
１４、１５    面ファスナー
１６    足裏部
１７    折り返し部分
１８    連結用留具
【図１】
2012130571.tif 000003
【図２】
2012130571.tif 000004
【図３】
2012130571.tif 000005
【図４】
2012130571.tif 000006